(57)【要約】【課題】デザイン性に優れ、かつ、表示媒体のサイズや向き等の制約を受けない汎用性の高いポップスタンドを提供する。【解決手段】本考案に係るポップスタンド１は、ベース板２と、ベース板２に立設された支柱３と、支柱３の上端部に設けられた支持部材４とを備え、支持部材４は、支柱３の上端部から水平方向に延びる水平支持フレーム６と、支柱３の上端部から垂直方向に延びる垂直支持フレーム７とからなるＬ字型に成形されており、水平支持フレーム６と垂直支持フレーム７の内側にそれぞれ表示媒体の縁部を嵌める溝８が設けられている。【選択図】図１
0003189154.tif 000002
【実用新案登録請求の範囲】
【請求項１】
ベース板と、
前記ベース板に立設された支柱と、
前記支柱の上端部に設けられた支持部材とを備え、
前記支持部材は、
前記支柱の上端部から水平方向に延びる水平支持フレームと、
前記支柱の上端部から垂直方向に延びる垂直支持フレームとからなるＬ字型に成形されており、
前記水平支持フレームと前記垂直支持フレームの内側にそれぞれ表示媒体の縁部を嵌める溝が設けられていることを特徴とするポップスタンド。
【請求項２】
前記水平支持フレームに前記溝の開口端を塞ぐストッパが設けられていることを特徴とする請求項１に記載のポップスタンド。
【請求項３】
透明なアクリル板を貼り合わせてなり、前記溝に嵌合する厚みを有する透明パネルを更に備えたことを特徴とする請求項１又は２に記載のポップスタンド。
【考案の詳細な説明】
【技術分野】
【０００１】
本考案は、例えば百貨店等の商品売場において、商品のポスターやプライス表示等のポップ広告を展示する際に使用されるポップスタンドに関する。
【背景技術】
【０００２】
従来、この種の店舗什器としては、特許文献１に開示された置き型のポップスタンドが知られている。このポップスタンドは、基盤に立設した支柱の上端に保持部材が固定されており、保持部材の内腔に小径支柱が装着され、小径支柱の上端に設けられた表示部材の高さを調節できるように構成されている。また、この表示部材は矩形状に成形されたプラスチックのフレームからなり、フレームの上方を開放した溝からポップ紙を出し入れできるように構成されている。
【先行技術文献】
【特許文献】
【０００３】
【特許文献１】特開平１１−２０２７７６号公報（特に図１を参照）
【考案の概要】
【考案が解決しようとする課題】
【０００４】
ところが、特許文献１のような従来のポップスタンドは、表示部材が矩形状のフレームで構成されていることにより、ポップ紙のサイズがフレームのサイズに合わせて決まってしまい、フレームが横長矩形状の場合にはポップ紙の向きも横置きに限定されるので、ポップ広告の表現自由度が低いという問題がある。また、表示部材の四辺がフレームで囲まれているため、中に入れたポップ紙の周縁部の表示がフレームで隠れてしまい、表示領域が狭くなるだけでなく、見た目のデザイン性が悪いという問題もある。
【０００５】
そこで、本考案はこのような問題を解決するためになされたものであり、その目的とするところは、デザイン性に優れ、かつ、表示媒体のサイズや向き等の制約を受けない汎用性の高いポップスタンドを提供することにある。
【課題を解決するための手段】
【０００６】
前記の目的を達成するため、本考案に係るポップスタンドは、ベース板と、前記ベース板に立設された支柱と、前記支柱の上端部に設けられた支持部材とを備え、前記支持部材は、前記支柱の上端部から水平方向に延びる水平支持フレームと、前記支柱の上端部から垂直方向に延びる垂直支持フレームとからなるＬ字型に成形されており、前記水平支持フレームと前記垂直支持フレームの内側にそれぞれ表示媒体の縁部を嵌める溝が設けられていることを特徴とするものである。
【０００７】
また、本考案に係るポップスタンドにおいて、前記水平支持フレームに前記溝の開口端を塞ぐストッパが設けられていても良い。
【０００８】
また、本考案に係るポップスタンドにおいて、透明なアクリル板を貼り合わせてなり、前記溝に嵌合する厚みを有する透明パネルを更に備えていても良い。
【考案の効果】
【０００９】
本考案のポップスタンドによれば、支持部材が水平支持フレームと垂直支持フレームからなるＬ字型に成形されており、水平支持フレームで表示媒体の底部を、垂直支持フレームで表示媒体の側部をそれぞれ支持するように構成されている。このため、フレームのサイズに左右されることなく表示媒体のサイズを自由に選べるとともに、表示媒体の向きが縦置きか横置きのいずれか一方に限定されることもないので、ポップ広告の展示自由度を高めることができる。また、表示媒体の周縁部の表示がフレームによって隠れることがないため、その分表示領域を広く確保することができるとともに、シンプルでデザイン性に優れたポップ広告を展示することができる。
【図面の簡単な説明】
【００１０】
【図１】本考案のポップスタンドの外観を示す斜視図である。
【図２】本考案のポップスタンドの底面図である。
【図３】本考案のポップスタンドの正面図である。
【図４】本考案のポップスタンドの拡大縦断面図である。
【図５】本考案のポップスタンドに設置する透明パネルの一例を示す説明図である。
【図６】本考案のポップスタンドに透明パネルを縦置きで設置した状態を示す説明図である。
【図７】本考案のポップスタンドに透明パネルを横置きで設置した状態を示す説明図である。
【図８】本考案のポップスタンドにおける支持部材の変形例を示す斜視図である。
【考案を実施するための形態】
【００１１】
以下、本考案を実施するための形態について、図面を参照しながら説明する。
【００１２】
図１に示すように、本実施形態のポップスタンド１は、床面等に設置して商品のポスターやプライス表示等のポップ広告を展示するために使用される置き型のスタンドであって、平板状のベース板２と、ベース板２の上に立設された角筒型の支柱３と、支柱３の上端部に設けられた支持部材４を備えて構成されている。これらすべての構成部材は、表面にヘアライン加工したステンレス鋼材を溶接することにより一体成形されている。
【００１３】
また、図２に示すように、ベース板２の底面には、ステンレス鋼材の上にフェルト４を貼り付けることにより、滑り止め加工が施されている。
【００１４】
図３に示すように、支持部材４は、後述するポップ広告の表示媒体を支える部材であって、支柱３の上端部から水平方向に延びる角型の水平支持フレーム６と、支柱３の上端部から垂直方向に延びる角型の垂直支持フレーム７とからなり、全体の形状がＬ字型に成形されている。このＬ字型の支持部材４は、表示媒体を安定して支えるために、水平支持フレーム６の方が垂直支持フレーム７よりも長い寸法に設計されている。
【００１５】
また、図４に示すように、水平支持フレーム６と垂直支持フレーム７の内側には、それぞれ表示媒体の縁部を嵌める断面凹型の溝８（８ａ，８ｂ）が設けられている。この溝８（８ａ，８ｂ）の幅や深さは特に限定されるものではなく、支える表示媒体の厚さや大きさに応じて適宜設定することができる。
【００１６】
図５に示すように、本実施形態ではポップ広告の表示媒体として、矩形状の透明パネル１０を使用するものとした。この透明パネル１０は、例えばＢ４判サイズより一回り大きい透明なアクリル板１１，１１を２枚重ね合わせ、その周縁三辺に薄いアクリル片１２を挟んで接着剤で貼り合わせたものであり、前記溝８（８ａ，８ｂ）の幅に相当する厚みｔを有し、２枚のアクリル板１１，１１の間に形成された隙間１３にポスターやプライス表示等の薄いシート１４を差し込んで収納できるようになっている。なお、シート１４を出し入れしやすいように、透明パネル１０の片面には、アクリル板１１の長辺中央縁部を半円形に切り欠いた指掛け部１５が設けられている。
【００１７】
本実施形態のポップスタンド１は以上のように構成されており、その使用方法は以下のとおりである。まず図５に示すようにポップ広告を印刷したシート１４を透明パネル１０に収納し、次に図６に示すように透明パネル１０の底部１０ａを水平支持フレーム６の溝８ａに嵌合させ、透明パネル１０の側部１０ｂを垂直支持フレーム７の溝８ｂに嵌合させる。これにより、表示媒体の縁部をＬ字型の支持部材４で支えて展示することができる。
【００１８】
ここで、本実施形態の支持部材４は溝８（８ａ，８ｂ）の開口端がいずれも開放されているため、フレームのサイズに左右されることなく透明パネル１０とシート１４のサイズを自由に選ぶことができる。また、透明パネル１０を図６のように縦置きの姿勢で支持するだけでなく、図７のように横置きの姿勢で支持することもでき、従来のものと違って透明パネル１０の向きが縦置きか横置きのいずれか一方に限定されることがない。したがって、ポップスタンド１に設置されるポップ広告の展示自由度を高めることができる。
【００１９】
また、Ｌ字型の支持部材４によって透明パネル１０の底部１０ａと側部１０ｂの二辺を支えるようにしたので、図６のように透明パネル１０の上部１０ｃと側部１０ｄの残る二辺は支持部材４によって隠れることがない。したがって、その分だけポップ広告の表示領域を広く確保することができるとともに、シンプルでデザイン性に優れたポップ広告を展示することができる。
【００２０】
なお、以上説明した実施形態はあくまで本考案を実施するための一形態であり、その形態は当業者が通常の創作能力を発揮することによって適宜変更することが可能である。例えば、支持部材４の形態について、水平支持フレーム６の溝８ａの開口端が開放されているが、これに代えて、図８のように溝８ａの開口端を塞ぐストッパ９が設けられていても良い。これにより、支持部材４にセットした透明パネル１０が左右にぐらついたり溝８ａから外れて脱落したりするのを防ぐことができる。また、表示媒体の形態について、透明パネル１０の中に印刷したシート１４を収納して展示するようにしたが、これに代えて、ポップ広告を印刷したボード（図示略）等の表示媒体を支持部材４で直接支持して展示することもできる。
【符号の説明】
【００２１】
１：ポップスタンド
２：ベース板
３：支柱
４：支持部材
５：フェルト
６：水平支持フレーム
７：垂直支持フレーム
８：溝
９：ストッパ
１０：透明パネル
１１：アクリル板
１２：アクリル片
１３：隙間
１４：シート
１５：指掛け部
【図１】
0003189154.tif 000003
【図２】
0003189154.tif 000004
【図３】
0003189154.tif 000005
【図４】
0003189154.tif 000006
【図５】
0003189154.tif 000007
【図６】
0003189154.tif 000008
【図７】
0003189154.tif 000009
【図８】
0003189154.tif 000010